【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
第１方向に延長される複数の第１感知データ線と、
第２方向に延長される複数の第２感知データ線と、
前記第１感知データ線に各々接続され、外部からの刺激により第１感知データ信号を発生する複数の第１感知部と、
前記第２感知データ線に各々接続され、外部からの刺激により第２感知データ信号を発生する複数の第２感知部と、
前記第１感知部各々から入力される第１感知データ信号を第１基準信号レベルと比較して、前記第１感知部の動作に基づいて該当するレベルの第１感知出力信号を各々出力する
複数の第１信号変換部と、
前記第２感知部各々から入力される第２感知データ信号を前記第１基準信号レベルと比較して、前記第２感知部の動作に基づいて該当するレベルの第２感知出力信号を各々出力する複数の第２信号変換部と、
前記複数の第１信号変換部から入力される複数の第１感知出力信号に応じて所定のビット数でデジタル化された第１位置信号を出力する第１位置信号出力部と、
前記複数の第２信号変換部から入力される複数の第２感知出力信号に応じて所定のビット数でデジタル化された第２位置信号を出力する第２位置信号出力部と、
前記第１及び第２位置信号出力部から入力される第１及び第２位置信号に基づいてデジタル感知信号を順次連続（ｓｅｒｉａｌ）して出力する信号出力部と、
前記信号出力部から入力される前記デジタル感知信号に基づいて前記第１及び第２感知部の接触位置を判断する接触判断部とを有することを特徴とする表示装置。
【請求項２】
前記第１と第２信号変換部各々は、前記感知データ信号を分圧する分圧器と、
前記分圧器からの分圧電圧と第１基準電圧を比較する比較器と、
前記比較器からの信号をクロック信号に合せて該当するレベルの信号にして出力するＤフリップフロップとを含むことを特徴とする請求項１に記載の表示装置。
【請求項３】
前記感知データ信号と前記分圧器との間に順方向に接続されるダイオードをさらに有することを特徴とする請求項２に記載の表示装置。
【請求項４】
前記分圧器は、前記ダイオードの出力端と接地の間に直列接続される第１抵抗と第２抵抗とを含み、
前記比較器は、前記第１抵抗と第２抵抗の接続点（分圧岐路）に非反転端子が接続され、前記第１基準電圧に反転端子が接続される演算増幅器であることを特徴とする請求項３に記載の表示装置。
【請求項５】
前記感知データ信号と前記分圧器との間に逆方向に接続されるダイオードをさらに含むことを特徴とする請求項２に記載の表示装置。
【請求項６】
前記分圧器は、前記ダイオードと第２基準電圧との間に接続される第１抵抗と第２抵抗とを含み、
前記比較器は、前記第１抵抗と第２抵抗の接続点に反転端子が接続され、前記第１基準電圧に非反転端子が接続される演算増幅器であることを特徴とする請求項５に記載の表示装置。
【請求項７】
前記第１及び第２位置信号出力部は、エンコーダであり、
前記第１及び第２信号変換部の各々は、各々接続される第１及び第２感知部が作動する場合に、高レベルの信号を出力することを特徴とする請求項１に記載の表示装置。
【請求項８】
前記第１及び第２位置信号出力部は、高レベルの信号を出力する第１及び第２信号変換部に付した番号を２進数に変換して、第１及び第２位置信号として出力することを特徴とする請求項７に記載の表示装置。
【請求項９】
前記第１及び第２位置信号出力部は、高レベルの信号を出力する第１及び第２信号変換部が複数個である場合に、中間に位置する第１及び第２信号変換部に付した番号を２進数に変換して、第１及び第２位置信号として出力することを特徴とする請求項７に記載の表示装置。
【請求項１０】
前記第１及び第２位置信号出力部は、高レベルの信号を出力する第１及び第２信号変換部が偶数個（ｑ）である場合に、（ｑ／２）または［（ｑ／２）＋１］番目に位置する第１及び第２信号変換部に付した番号を２進数に変換して、第１及び第２位置信号として出力することを特徴とする請求項９に記載の表示装置。
【請求項１１】
前記第１及び第２位置信号出力部は、高レベルの信号を出力する第１及び第２信号変換部が所定の個数を越える場合に、前記所定の個数を超える第１及び第２信号変換部からの第１及び第２感知出力信号は無視することを特徴とする請求項１０に記載の表示装置。
【請求項１２】
前記信号出力部は、前記接触判断部にインタラプト信号を出力するインタラプト信号発生部を含み、
前記接触判断部は、前記インタラプト信号が高レベルの信号である場合に、前記信号出力部からのデジタル感知信号を読み取り、
前記インタラプト信号発生部は、前記第１位置信号出力部の出力端子に入力端子が接続される第１論理和回路と、
前記第２位置信号出力部の出力端子に入力端子が接続される第２論理和回路と、
前記第１及び第２論理和回路の出力端子に接続される論理積回路とを含むことを特徴とする請求項１に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関し、特に、簡単に正確に感知素子の動作の有無を判断することのできる表示装置に関する。
【手続補正４】
【補正対象書類名】明細書
【補正対象項目名】０００９
【補正方法】変更
【補正の内容】
【０００９】
前記第１及び第２位置信号出力部は、高レベルの信号を出力する第１及び第２信号変換部に付した番号を２進数に変換して、第１及び第２位置信号として出力することが好ましい。
前記第１及び第２位置信号出力部は、高レベルの信号を出力する第１及び第２信号変換部が複数個である場合に、中間に位置する第１及び第２信号変換部に付した番号を２進数に変換して、第１及び第２位置信号として出力することが好ましい。
前記第１及び第２位置信号出力部は、高レベルの信号を出力する第１及び第２信号変換部が偶数個（ｑ）である場合に、（ｑ／２）または［（ｑ／２）＋１］番目に位置する第１及び第２信号変換部に付した番号を２進数に変換して、第１及び第２位置信号として出力することが好ましい。
前記第１及び第２位置信号出力部は、高レベルの信号を出力する第１及び第２信号変換部が所定の個数を越える場合に、前記所定の個数を超える第１及び第２信号変換部からの第１及び第２感知出力信号は無視することが好ましい。
前記信号出力部は、前記接触判断部にインタラプト信号を出力するインタラプト信号発生部を含むことが好ましい。
前記接触判断部は、前記インタラプト信号が高レベルの信号である場合に、前記信号出力部からのデジタル感知信号を読み取ることが好ましい。
前記インタラプト信号発生部は、前記第１位置信号出力部の出力端子に入力端子が接続される第１論理和回路と、前記第２位置信号出力部の出力端子に入力端子が接続される第２論理和回路と、前記第１及び第２論理和回路の出力端子に接続される論理積回路とを含むことが好ましい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】